(57)【特許請求の範囲】
【請求項１】
内部に棒状の中子フェルールを着脱可能に嵌挿した円筒状の接合フェルールを先端側に配着した一対のクランプ接続端子と、内部で前記両接合フェルールを接続させる円筒状の接続子と、両接合フェルールの先端部を接続させて前記クランプ接続端子と前記接続子とを固定する接続維持手段と、前記接続子内の両接合フェルールの先端部間に充填する透明なゲル材とから成る複線用光ケーブルコネクタであって、
前記接合フェルールは、その円筒状の筒の外側と内側の先端側に、それぞれ平面状の外側接合面と内側接合面とが形成され、前記中子フェルールの先端側の平面状の接合面が、前記接合フェルールの内側接合面に密接され、
前記接合フェルール及び前記中子フェルールの対向周面には、該接合フェルール及び中子フェルールの中心線方向と平行に凹溝条及び該凹溝条に嵌合する凸隆条を対設し、前記接続子及び前記接合フェルールの対向周面には、前記接合フェルール及び中子フェルールの中心線方向と平行に凹溝条及び該凹溝条に嵌合する凸隆条を対設し、
前記接合フェルールの外側接合面と内側接合面との間、及び前記中子フェルールには、それぞれ前記接続子内の両側の前記接合フェルール及び前記中子フェルールの前記凹溝条及び凸隆条で決定される両者の固定位置で、直線状の光ファイバーを連続して貫挿させる光ファイバー挿通孔を、前記接合フェルール及び中子フェルールの中心線方向と平行に複数貫通形成したことを特徴とする複線用光ケーブルコネクタ。
【請求項２】
接続維持手段が、接合フェルールの中間部位にフランジを設け、該フランジの後部に管状接続部を一体的に形成し、前記クランプ接続端子の中間部に前記接合フェルールを挿入した接続子の外周に密接状態で往復可能とする円筒状のクランプ部を設け、
前記クランプ部の後部内面にバネ止部を突設するとともに前記管状接続部の外周面と該クランプ部の内周面との間に形成されたバネ装着空間内の前記バネ止部と前記フランジの後部面との間に押圧スプリングを装着し、
前記両クランプ接続端子のクランプ部に、先端側から切欠して引掛り部を形成した掛止溝を設け、前記接続子の両端寄りの外周に、前記引掛り部に入ったとき前記押圧スプリングの付勢で接合フェルールの先端部同士を押圧状態する突起を設けたことを特徴とする請求項１に記載の複線用光ケーブルコネクタ。
【請求項３】
管状接続部に光ケーブルガイド管を連結するとともに該光ケーブルガイド管の外周に、クランプ部の後端部を後部側から押えるフランジ状ストッパを突設したことを特徴とする請求項２に記載の複線用光ケーブルコネクタ。
【請求項４】
管状接続部の外周面に、雄ネジを形成するとともに光ケーブルガイド管の先端部の内周面に、該雄ネジに螺着可能な雌ネジを形成したことを特徴とする請求項３に記載の複線用光ケーブルコネクタ。
【請求項５】
接続子の外周面に内周面が密接して嵌合可能な断面Ｃ字形の割り筒状を成し、且つ接続時のクランプ接続端子のクランプ部の先端間と略同幅とした弾力性を有する着脱ストッパを、接続子に装着したことを特徴とする請求項２から４のうちいずれかに記載の複線用光ケーブルコネクタ。
【発明の詳細な説明】
【技術分野】
【０００１】
本発明は、複数の光ファイバーの各端部同士を接続するための光ケーブルコネクタに関する。
【背景技術】
【０００２】
従来の光ケーブルコネクタは単線の接続を可能とするものであるところ、先に本願発明者は複線を容易に接続可能とする特許文献１の「光ケーブルコネクタ」を提案した。
しかし、この「光ケーブルコネクタ」は、クランプ接続端子の光ファイバーの接続部分であるフェルールへの光ファイバーの装着が容易ではなく、このため光ファイバーをクランプ接続端子へ接続した製品の製造作業を機械化することが困難であった。
【先行技術文献】
【特許文献】
【０００３】
【特許文献１】特開２００８−１８０８２２
【発明の概要】
【発明が解決しようとする課題】
【０００４】
上記課題を解決すべく、本発明は、光ケーブルを構成する複数の光ファイバーの端部同士を光ケーブルコネクタのクランプ接続端子に簡単に接続できるようにし、手作業で行っていたクランプ接続端子への接続作業を機械化することを可能とする複線用光ケーブルコネクタを提供しようとするものである。
【課題を解決するための手段】
【０００５】
上記課題を解決するため、本発明の複線用光ケーブルコネクタは、請求項１の発明においては、内部に棒状の中子フェルールを着脱可能に嵌挿した円筒状の接合フェルールを先端側に配着した一対のクランプ接続端子と、内部で前記両接合フェルールを接続させる円筒状の接続子と、両接合フェルールの先端部を接続させて前記クランプ接続端子と前記接続子とを固定する接続維持手段と、前記接続子内の両接合フェルールの先端部間に充填する透明なゲル材とから成る複線用光ケーブルコネクタであって、前記接合フェルールは、その円筒状の筒の外側と内側の先端側に、それぞれ平面状の外側接合面と内側接合面とが形成され、前記中子フェルールの先端側の平面状の接合面が、前記接合フェルールの内側接合面に密接され、前記接合フェルール及び前記中子フェルールの対向周面には、該接合フェルール及び中子フェルールの中心線方向と平行に凹溝条及び該凹溝条に嵌合する凸隆条を対設し、前記接続子及び前記接合フェルールの対向周面には、前記接合フェルール及び中子フェルールの中心線方向と平行に凹溝条及び該凹溝条に嵌合する凸隆条を対設し、前記接合フェルールの外側接合面と内側接合面との間、及び前記中子フェルールには、それぞれ前記接続子内の両側の前記接合フェルール及び前記中子フェルールの前記凹溝条及び凸隆条で決定される両者の固定位置で、直線状の光ファイバーを連続して貫挿させる光ファイバー挿通孔を、前記接合フェルール及び中子フェルールの中心線方向と平行に複数貫通形成したことを特徴とする。
【０００６】
請求項２に記載の発明においては、上記発明において、前記接続維持手段が、ａ）接合フェルールの中間部位にフランジを設け、該フランジの後部に管状接続部を一体的に形成し、ｂ）前記クランプ接続端子の中間部に前記接合フェルールを挿入した接続子の外周に密接状態で往復可能とする円筒状のクランプ部を設け、ｃ）前記クランプ部の後部内面にバネ止部を突設するとともに前記管状接続部の外周面と該クランプ部の内周面との間に形成されたバネ装着空間内の前記バネ止部と前記フランジの後部面との間に押圧スプリングを装着し、
ｄ）前記両クランプ接続端子のクランプ部に先端側から切欠して引掛り部を形成した掛止溝を設け、前記接続子の両端寄りの外周に、前記引掛り部に入ったとき前記押圧スプリングの付勢で接合フェルールの先端部同士を押圧状態する突起を設けたことを特徴とする。
【０００７】
請求項３に記載の発明においては、上記発明において、前記管状接続部に光ケーブルガイド管を連結するとともに該光ケーブルガイド管の外周に、クランプ部の後端部を後部側から押えるフランジ状ストッパを突設したことを特徴とする。
【０００８】
請求項４に記載の発明においては、上記発明において、前記管状接続部の外周面に、雄ネジを形成するとともに光ケーブルガイド管の先端部の内周面に、該雄ネジに螺着可能な雌ネジを形成したことを特徴とする。
【０００９】
請求項５に記載の発明においては、上記発明において、前記接続子の外周面に内周面が密接して嵌合可能な断面Ｃ字形の割り筒状を成し、且つ接続時のクランプ接続端子のクランプ部の先端間と略同幅とした弾力性を有する着脱ストッパを、接続子に装着したことを特徴とする。
【発明の効果】
【００１０】
本発明は、光ファイバーを挿通するフェルールを接合フェルール内に中子フェルールが嵌挿可能な２重構造としたので、光ファイバーを装着するときには、接合フェルールから中子フェルールを取り出して、複数の光ファイバーを、取り出した中子フェルールの光ファイバー挿通孔に対して一本づつ全部差し込んでから、纏めて接合フェルールに装着すること可能となる。
【００１１】
接合フェルールから取り出した中子フェルールは、光ファイバー挿通孔が露出しているので、その光ファイバー挿通孔に対して光ファイバーが差し込み易く、複数ある光ファイバーの全てを容易に短時間で差し込むことが可能となる。
また、接合フェルールと中子フェルールとは、凹溝条及び凸隆条で無回転状態に拘束しつつ中心線方向に正確にガイドされて挿入されるため、接合フェルールに光ファイバーを装着した中子フェルールを差し込むと、中子フェルールの複数の光ファイバー挿通孔から突出した光ファイバーの先端が前記接合フェルールの各光ファイバー挿通孔の開口位置に自動的に合致され、そのまま纏めて、接合フェルールの複数の光ファイバー挿通孔に各光ファイバーを挿入することが可能となる。
このため光ケーブルのコネクタへの装着が大変容易となる
【００１２】
このように、複線用光ケーブルコネクタへの光ファイバーの装着作業が、前記中子フェルールへの複数の光ファイバーの装着と、複数の光ファイバーが装着された中子フェルールの前記接合フェルールの光ファイバー挿通孔への差し込み作業との２段階に分けて、各段階が容易に行えることとなり、複線用光ケーブルコネクタへの細くて曲がり易く扱い難かった光ファイバーの装着作業全体をロボットなどの機械的な接続作業で簡単に行うことが可能となる。
【００１３】
また、接合フェルールへの光ファイバーの接続作業が終わった後、次の前記両クランプ接続端子と前記接続子との連結は、前記接続維持手段によって前記両クランプ接続端子と前記接続子が接続されるが、その際、両側の接合フェルールは、前記接続子に対して凹溝条及び凸隆条が相互に噛み合うように嵌合することによって、各光ファイバー挿通孔の相互の開口部が合致する位置で正確に固定され、光ファイバーが直線的に挿通可能となり、且つ凹溝条及び凸隆条は前記接合フェルール及び中子フェルールの中心線方向に長いので、外部から力が加わっても位置ズレが発生し難くなる。従って、激しい振動が発生する自動車、航空機等の輸送機器や工場内などの情報制御系のケーブルに使用することが可能となる。
また透明なゲル材を介して安定した光ファイバーの光接続が可能となり、透明なゲル材自体は柔らかいゲル状態であるため、接続後、メンテナンスなどでコネクタの分離も容易にできるので、メンテナンスなどの作業に要する時間やコストが大幅に削減可能となる。
【００１４】
請求項２に記載の発明では、前記接続維持手段である前記接続子の突起が前記クランプ部の前記引掛り部に掛かって、押圧スプリングの力で前記接続子内の両側の接合フェルールを押し付けた状態に接続し、その状態を維持させることが可能となる。
そして、接続後は、対向周面に相互に合致するように形成した凹溝条と凸隆条とが密接に嵌合されるので、各光ファイバーを繋いだときの中子フェルール及び接合フェルールと、接合フェルール及び前記接続子とが、相互の確定位置に押圧スプリングの力の押されて強力に固定され、接続部分に外部から振動や衝撃などのよる力が加わっても殆ど変形が起らない。
また、部品の殆どが筒状物の組み合わせとなっており、金属である押圧スプリング以外は材質を全てプラスチックで製作することができ、このため大幅な軽量化とコストダウンが可能となる。
【００１５】
請求項３に記載の発明では、前記光ケーブルガイド管に設けたストッパがクランプ部を後ろ側に抜けないように押し止めるので、前記光ケーブルガイド管とクランプ部と結合したままの状態で接合フェルールの管状接続部から分離させるこが可能となる。
このため、中子フェルール及び接合フェルールに各光ファイバーを接続するときに、前記光ケーブルガイド管及びクランプ部を中子フェルール及び接合フェルールから分離すれば、中子フェルール及び接合フェルールに各光ファイバーを取付け易くすることが可能となる。
【００１６】
請求項４に記載の発明では、前記接合フェルールの管状接続部と光ケーブルガイド管とが螺着されているので、回転させるだけで光ケーブルガイド管が容易に着脱可能となるとともに、各光ファイバーの接続や、メンテナンスなどでコネクタを切り離すときに、前記接合フェルールと光ケーブルガイド管とを分離させることが可能となり、その作業に要する時間やコストを削減することが可能となる。
【００１７】
請求項５に記載の発明では、前記クランプ接続端子と前記接続子とを各光ファイバーを接続して固定した後、前記クランプ部間の前記接続子に割り口を開いて被せるように着脱ストッパを装着すれば、前記接続子の突部が前記クランプ部の前記引掛り部に掛かった状態で、掛止溝を戻ることができなくなり、前記接続子から前記クランプ接続端子は抜ける虞がなくなる。
【図面の簡単な説明】
【００１８】
【図１】本発明の接続状態を示す（イ）が斜視図、（ロ）が縦断側面図である。
【図２】（イ）がクランプ接続端子と続端子を分離した状態を示す縦断側面図、（ロ）が一方のクランプ接続端子のみ続端子に接続した状態を示す縦断側面図である。
【図３】部品を分解した状態を示す斜視図である。
【図４】クランプ部の斜視図である。
【図５】接合フェルール部分の対応した凸隆条と凹溝条を示す斜視図である。
【図６】中子フェルール部分の対応した凸隆条と凹溝条を示す斜視図である。
【図７】図１の（ロ）のＡ−Ａ線輪切り断面図である。
【図８】図１の（ロ）のＢ−Ｂ線輪切り断面図である。
【図９】図１の（ロ）のＣ−Ｃ線輪切り断面図である。
【発明を実施するための形態】
【００１９】
本発明の実施の形態を以下詳しく説明する。
本発明の複線用光ケーブルコネクタは、図２の（イ）に示すように、中心線上で左右対称に向かい合う一対のクランプ接続端子２、３と、両クランプ接続端子２、３間にあって、両者を接続する円筒状の接続子１と、接続された前記両クランプ接続端子２、３と前記接続子１とを固定する接続維持手段４と、前記接続子内の両接合フェルールの先端部間に充填する透明なゲル材２７とで構成される。
【００２０】
前記両クランプ接続端子２、３は、図１及び図３に示すように、先端側に、連結部１５の筒の外側と内側の先端側を平面状の外側接合面５ａと内側接合面５ｂとに形成するとともに後部には管状接続部７を一体的に形成した円筒状の接合フェルール５を配着する。
該接合フェルール５の筒内空間９内には、先端側を平面状の接合面１０ａに形成した丸棒状の中子フェルール１０を着脱可能に嵌装する。
そして、前記中子フェルール１０の接合面１０ａは接合フェルール５の内側接合面５ｂに密接可能とする。
また、前記接合フェルール５及び前記中子フェルール１０には、両者の固定位置で直線の光ファイバーＦを貫挿可能とする光ファイバー挿通孔８、１１を前記接合フェルール５及び中子フェルール１0の中心線方向と平行に複数形成する。
【００２１】
該光ファイバー挿通孔８、１１は、光ケーブルＫ内の複数の光ファイバーＦを１本づつ通すことができる細い孔であり、図５及び図６では光ファイバー挿通孔８、１１が３本の例を示し、図７、図８及び図９では６本の例を示しているが、光ファイバー挿通孔８、１１の数は、光ケーブルＫの光ファイバーの本数に合わせればよく、その数は３本と６本に限定されるものではない。
対象となる光ファイバーＦは、通常のガラス製やプラスチック製の光ファイバーＦを使用し、どのような径でも対応できるよう、前記光ファイバー挿通孔８、１１の径を用いる光ファイバーＦが円滑に挿入可能な径に形成する。
【００２２】
前記接合フェルール５の筒内空間９内に中子フェルール１０を差し込むときに、前記中子フェルール１０の接合面１０ａと接合フェルール５の内側接合面５ｂとの間の空気は、両者が接近しているときに前記接合フェルール５の光ファイバー挿通孔８から外部に排出されるので、容易に前記中子フェルール１０の接合面１０ａと接合フェルール５の内側接合面５ｂを密接させることができる。
【００２３】
前記接続子１は、図２に示すように、前記両クランプ接続端子２、３の間に配されて前記接合フェルール５を両側から挿入可能とし、両側の前記接合フェルール５の外側接合面５ａ同士を密接可能とする。
【００２４】
そして、光ファイバー挿通孔８、１１に光ファイバーを挿通して密接させ、両側の前記接合フェルール５の外側接合面５ａ同士の間には、図１の（ロ）に示すように、光を透過させる透明なゲル材２７を充填する。
【００２５】
部品として使用される材質については、使用する押圧スプリング１４は鋼材とし、前記接合フェルール５、前記中子フェルール１０及び前記接続子１は硬質のプラスッチク製であるが、その他の部品については金属やプラスッチクが使用できる。
前記接合フェルール５、前記中子フェルール１０及び接続子１は、同素材の硬質プラスッチクとすれば、両方とも膨張率も等しくするこができるので、温度変化による隙間発生による弛みや、熱変形が防止され、全体に高い形状安定性が得られる製品を作ることが可能となる。
【００２６】
また、図３に示すように、前記両クランプ接続端子２、３の前記管状接続部７には後方に長い光ケーブルガイド管１８を連結する。該光ケーブルガイド管１８は、先端側の前記管状接続部７への連結部１５を硬くし、後端側を薄く柔らかいものとするか、又は、細かい切れ目を入れて、後方へ突出した光ファイバーに強度な屈曲ストレスが掛からないようにすることが好ましい。
【００２７】
接合フェルール５の管状接続部７と前記光ケーブルガイド管１８との連結は、図３に示すように、接合フェルール５の管状接続部７の外周面には雄ネジを形成し、光ケーブルガイド管１８の先端部の内周面には該雄ネジに螺合する雌ネジを形成し、両者を螺着して結合させること可能である。
【００２８】
そして、前記接合フェルール５及び前記中子フェルール１０の対向周面には、図６に示すように、前記両光ファイバー挿通孔８、１１同士が合致する固定位置で、前記接合フェルール５及び中子フェルール１０の中心線方向と平行に凹溝条２３と該凹溝条２３に嵌合する凸隆条２２とを対向させて形成する。
また、図５に示すように、前記接続子１及び前記接合フェルール５との対向周面には、両側の前記光ファイバー挿通孔８同士が合致する固定位置で、前記接合フェルール５及び中子フェルール１０の中心線方向と平行に、凹溝条２１と該凹溝条２１に嵌合する凸隆条２０とを対向させて形成する。
【００２９】
各図では、前記接合フェルール５及び中子フェルール１０の前記接続子１の内周側には凸隆条２０を形成し、前記接合フェルール５の外周側には前記凹溝条２１を形成し、また接合フェルール５の内周側には凸隆条２２を形成し、前記中子フェルール１０の外周側には前記凹溝条２３を形成した態様を示したが、これとは反対に、前記接続子１の内周側には凹溝条を形成し、前記接合フェルール５の外周側には凸隆条を形成し、また接合フェルール５の内周側には凹溝条を形成し、前記中子フェルール１０の外周側には凸隆条を形成した態様も可能であり、それぞれ対向した凹凸に形成することができる。
【００３０】
本発明の光ファイバー挿通孔８、１１の数は、図５及び図６では３本の例を示し、図７、図８及び図９では６本とした例を示している。
６本の場合を例に複線用光ケーブルコネクタの接続部分をさらに詳述する。
本発明の複線用光ケーブルコネクタを接続したときの前記接続子１、前記接合フェルール５及び中子フェルール１０の断面を図７、図８及び図９に示している。
その内、図７は、図１の（ロ）のＡ−Ａ線輪切り断面図であり、図８は、図１の（ロ）のＢ−Ｂ線輪切り断面図であり、図９は、図１の（ロ）のＣ−Ｃ線輪切り断面図である。
【００３１】
これら図に示すように、それぞれの対向周面に、前記接合フェルール５と前記中子フェルール１０には、前記接合フェルール５及び中子フェルール１０の中心線方向と平行に凹溝条２３と該凹溝条２３に嵌合する凸隆条２２とが対設し、前記接続子１と前記接合フェルール５には、凹溝条２１と該凹溝条２１に嵌合する凸隆条２０とが対設する。
前記各図では、前記凹溝条２３、２１と凸隆条２２、２０は、それぞれ４組形成した例を示しているが、複線用光ケーブルコネクタを接続し、固定したときの安定性及び部品精度を保つ上で３組以上で６組以内とすることが好ましい。
また、その位置は、図７に示すように、各組の周方向の間隔は等間隔とすることが中心を安定的に合わせる上で好ましい。
【００３２】
前記凹溝条２３、２１と凸隆条２２、２０の形状は、各図では断面円弧状で重なり合った形状としているが、この形状に限定されるものではなく、Ｕ字状やＶ字状の断面に形成し、少なくとも中央で相互に密接可能な形状とする。この中央以外では若干の隙間を形成すれば、光ファイバーを接続させるときに前記接続子１と両側の接合フェルール５とに挟まれて高圧になった空気をその隙間から逃がすことによって両側の前記接合フェルール５の外側接合面５ａ同士を円滑に密接させることが可能となる。
【００３３】
前記凹溝条２３、２１と凸隆条２２、２０の大きさは、全て等しくしても良いが、１組を異なる大きさにすれば、他の前記凹溝条２３、２１と凸隆条２２、２０とが嵌合できないので、嵌合可能な位置が１箇所に確定することとなり、誤った位置に差し込むことが防止される。
また、差し込む位置を間違えることを防止するためには、周方向の間隔の複数の組みのうち１箇所を異なる間隔にすれば、前記接合フェルール５と前記中子フェルール１０を誤った位置に差し込むことが防止される。
【００３４】
前記各凹溝条２３、２１と、凸隆条２２、２０とは、図７、図８及び図９に示すように、位置を正確に密接状態に嵌合させることによって、コネクタ接続後は、対向周面に相互に合致するように形成した前記接合フェルール５及び中子フェルール１０の中心線方向に長い凹溝条と凸隆条とが、各光ファイバーＦを繋いだときの中子フェルール１０及び接合フェルール５と接合フェルール５及び前記接続子１とを、相互の確定位置に強力に固定し、接続部分に外部から振動や衝撃などのよる力が加わっても変形が発生しないものとなる。
【００３５】
前記接続維持手段４は、接続された前記両クランプ接続端子２、３と前記接続子１とを固定するものであり、部品の一部の掛か止部を設けて固定するものや全体を覆うように固定するものなど各種形態が可能である。
次に前記接続維持手段４について、一例をあげて詳細に説明する。
【００３６】
例えば、前記接続維持手段４は、図２及び図３に示すように、接続子１による両側の接合フェルール５の外側接合面５ａ同士が密接可能な接合フェルール５の中間部位に、フランジ６を設け、前記クランプ接続端子２、３の中間部には、前記接合フェルール５を挿入した接続子１の外周に密接状態で往復可能とする円筒状のクランプ部１２を設ける。
【００３７】
さらに、前記管状接続部７の外周面と該クランプ部１２の内周面との間にバネ装着空間２５を形成し、前記クランプ部１２の後部内面にバネ止部１３を突設して、前記バネ装着空間９内の該バネ止部１３と前記フランジ６の後部面との間に押圧スプリング１４を装着する。
【００３８】
前記両クランプ接続端子２、３のクランプ部１２は、先端側からの切欠により引掛り部４ｂを形成した掛止溝４ｃを設け、前記接続子１の両端寄りの外周に前記掛止溝４ｃに入る突起４ａを設ける。
そして、図１の（ロ）に示すように、該突起４ａが前記引掛り部４ｂに入ったとき、押圧スプリング１４の付勢力で接合フェルール５の先端部同士５ａを押圧状態としつつ前記接続子１と接合フェルール５とを接続維持可能とする
【００３９】
該クランプ部１２は、図４に示すように、クランプ部１２の端面から切欠して形成されるので掛止溝４ｃは部分的に弱くなる。このため、図４に示すように、溝補強カバー１９を設けると良い。
なお、その掛止溝４ｃは、クランプ部１２の端面から前記接合フェルール５及び中子フェルール１０の中心線方向と平行に切り込んで周方向に進み、クランプ部１２の端面方向に曲げて前記引掛り部４ｂを形成するが、図１に示すように、クランプ部１２の端面の直径方向で等距離に２つも設けると、前記クランプ接続端子２、３と前記接続子１とが安定的に接続できる。
その際、前記掛止溝４ｃは、両側のクランプ部１２に、図１に示すように、逆回転方向に曲げて形成すると、クランプ部１２を持って相互に逆回転させることで、前記接続子１の突起４ａに容易に装着できるようになる。
【００４０】
また、前記光ケーブルガイド管１８の外周に、クランプ部１２の後端部を後部側から押えるフランジ状ストッパ１７を突設する。
該フランジ状ストッパ１７は、前記クランプ部を後ろ側に抜けないように押さ止める働きをするので、前記光ケーブルガイド管１８とクランプ部１２を付けたままで接合フェルール５から分離させることが可能となる。
このため、中子フェルール１０及び接合フェルール５に各光ファイバーＦを接続するときに、前記光ケーブルガイド管１８及びクランプ部１２を中子フェルール１０及び接合フェルール５から分離させることで、中子フェルール１０及び接合フェルール５に各光ファイバーＦが取付け易すくなる。
【００４１】
さらに、図１の（イ）に示すように、接続子１の外周面に嵌合可能な断面Ｃ字形の割り筒状を成し、且つ接続時のクランプ接続端子２、３のクランプ部１２、１２の先端間と略同幅とした弾力性を有する着脱ストッパ２６を備えることができる。
該着脱ストッパ２６は、前記クランプ接続端子２、３と前記接続子１とを各光ファイバーＦを接続して固定した後、前記両クランプ部１２、１２間の前記接続子１に割り口を開いて被せるように装着する。
前記接続子１の突起４ａが前記クランプ部１２の前記引掛り部４ｂに掛かった状態で、前記接続子１に対して前記両クランプ部１２、１２間を狭めることができなくなり、この結果、前記間掛止溝４ｃを戻れなくなる。
したがって、前記接続子１から前記クランプ接続端子２、３を抜けなくすることが可能となる。
【産業上の利用可能性】
【００４２】
本発明は、光ケーブル内の複数の光ファイバーの端部同士を接続可能とする光ケーブルコネクタに使用される。
【符号の説明】
【００４３】
１    接続子
２    クランプ接続端子
３    クランプ接続端子
４    接続維持手段
４ｂ  引掛り部
４ｃ  掛止溝
４ａ  突起
５    接合フェルール
５ａ  接合フェルールの外側接合面
５ｂ  接合フェルールの内側接合面
６    フランジ
７    管状接続部
８    光ファイバー挿通孔
９    筒内空間
１０  中子フェルール
１０ａ中子フェルールの接合面
１１  光ファイバー挿通孔
１２  クランプ部
１３  バネ止部
１４  押圧スプリング
１５  連結部
１６  雌ネジ
１７  フランジ状ストッパ
１８  光ケーブルガイド管
１９  溝補強カバー
２０  凸隆条
２１  凹溝条
２２  凸隆条
２３  凹溝条
２４  光ケーブル挿通孔
２５  バネ装着空間
２６  着脱ストッパ
２７  透明なゲル材
Ｆ    光ファイバー
Ｋ    光ケーブル
【図１】
0005827903.tif 000002
【図２】
0005827903.tif 000003
【図３】
0005827903.tif 000004
【図４】
0005827903.tif 000005
【図５】
0005827903.tif 000006
【図６】
0005827903.tif 000007
【図７】
0005827903.tif 000008
【図８】
0005827903.tif 000009
【図９】
0005827903.tif 000010